【誤訳訂正書】
【提出日】平成28年1月27日(2016.1.27)
【誤訳訂正１】
【訂正対象書類名】明細書
【訂正対象項目名】全文
【訂正方法】変更
【訂正の内容】
【発明の詳細な説明】
【発明の名称】リソース位置指示とチャネルブラインド検出の方法、システムおよび装置
【技術分野】
【０００１】
本出願は、２０１１年５月１９日に中国特許局に提出し、出願番号が２０１１１０１３１３４１．９であり、発明名称が「リソース位置指示とチャネルブラインド検出の方法、システムおよび装置」である中国特許出願をきそとする優先権を主張し、その開示の総てをここに取り込む。
本発明は無線通信分野に関し、特にリソース位置指示とチャネルブラインド検出の方法、システムおよび装置に関する。
【背景技術】
【０００２】
図１に示す通り、ロング・ターム・エボリューション（Ｌｏｎｇ  Ｔｅｒｍ  Ｅｖｏｌｕｔｉｏｎ，ＬＴＥ）システムにおいて、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）は各無線サブフレームにおける制御領域にて送信を行い、かつ、ダウンリンクデータを伝送する物理ダウンリンク共有チャネル（Ｐｈｙｓｉｃａｌ  Ｄｏｗｎｌｉｎｋ  Ｓｈａｒｅｄ  Ｃｈａｎｎｅｌ，ＰＤＳＣＨ）と時分割多重（Ｔｉｍｅ  Ｄｉｖｉｓｉｏｎ  Ｍｕｌｔｉｐｌｅ，ＴＤＭ）の関係を形成する。ＰＤＣＣＨは、ダウンリンクサブフレームにおけるＮ個前の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）符号を介して送信する。ここで、Ｎの値は１、２、３または、４に取ることができ、Ｎ＝４は、システム帯域幅が１．４ＭＨｚであるシステムの場合にだけ許される。
【０００３】
ＬＴＥシステムにおいて、ＰＤＣＣＨを伝送する制御領域は、ロジックにより区別する制御チャネルエレメント（Ｃｏｎｔｒｏｌ  Ｃｈａｎｎｅｌ  Ｅｌｅｍｅｎｔ，ＣＣＥ）により構成される。ここで、ＣＣＥからリソースエレメント（Ｒｅｓｏｕｒｃｅ  Ｅｌｅｍｅｎｔ，ＲＥ）までのマッピングは完全インターリービング（Ｆｕｌｌ  ｉｎｔｅｒｌｅａｖｉｎｇ）の態様を用いる。ダウンリンク制御情報（Ｄｏｗｎｌｉｎｋ  Ｃｏｎｔｒｏｌ  Ｉｎｆｏｒｍａｔｉｏｎ，ＤＣＩ）の伝送もＣＣＥに基づいて行い、ユーザー端末（Ｕｓｅｒ  Ｅｑｕｉｐｍｅｎｔ，ＵＥ）に伝送するＤＣＩは、Ｎ個連続のＣＣＥにおいて送信できる。ＬＴＥシステムにおいてＮの値が１、２、４または、８に取ることができ、これは、ＣＣＥアグリゲーションレベル（Ａｇｇｒｅｇａｔｉｏｎ  Ｌｅｖｅｌ）と呼ばれる。ＵＥは、制御領域においてＰＤＣＣＨブラインド検出を行い、ＵＥに送信したＰＤＣＣＨがあるか否かを検索する。ブラインド検出は、即ち、当該ＵＥの無線ネットワーク臨時識別子（Ｒａｄｉｏ  Ｎｅｔｗｏｒｋ  Ｔｅｍｐｏｒａｒｙ  Ｉｄｅｎｔｉｔｙ，ＲＮＴＩ）を使用し、異なるＤＣＩフォーマットおよびＣＣＥアグリゲーションレベルに対し、復号を試みることである。もし復号が正確であれば、当該ＵＥに対するＤＣＩを受信する。ＵＥは、非連続受信（Ｄｉｓｃｏｎｔｉｎｕｏｕｓ  Ｒｅｃｅ，Ｐｔｉｏｎ，ＤＲＸ）状態にある各ダウンリンクサブフレームにおいて、全ての制御領域に対し、ブラインド検出を行わねばならずＰＤＣＣＨを検索する。
【０００４】
ＬＴＥシステムにおいて、サブフレームにおける制御領域は、共通検索スペース（Ｃｏｍｍｏｎ  Ｓｅａｒｃｈ  Ｓｐａｃｅ，ＣＳＳ）と、ユーザー専属検索スペース（ＵＥ−ｓｐｅｃｉｆｉｃ  Ｓｅａｒｃｈ  Ｓｐａｃｅ，ＵＥＳＳ）の２つのスペースとにより構成される。ここで、共通検索スペースは、主に、システム情報、コールメッセージ、マルチキャスト電力制御情報等のＤＣＩのような、スケジューリングセル専属制御情報をユーザーへ伝送するものである。ユーザー専属検索スペースは、主に、各ＵＥリソーススケジューリングに対するＤＣＩを伝送するものである。各ダウンリンクサブフレームにおける共通検索スペースには、１６個前のＣＣＥが含まれ、かつ、共通検索スペースにおけるＣＣＥアグリゲーションレベルは４、８の２種類のみを支援する。各ダウンリンクサブフレームにおいて、各ユーザー専属のＵＥ検索スペースの初期ＣＣＥ位置は、サブフレーム番号と、ＵＥのＲＮＴＩ等と関連しており、ユーザー専属検索スペースでは、ＣＣＥアグリゲーションレベル１、２、４および８を支援する。ＵＥＳＳにおいて、各ＣＣＥアグリゲーションレベルのブラインド検出は検索スペースに対応している。つまり、ＵＥの異なるＣＣＥアグリゲーションレベルでのブラインド検出は、異なる検索スペースにおいて行う。表１は、ＵＥがダウンリンクサブフレームにおいてブラインド検出しなければならないＣＣＥスペースを示す。ここで、ＬはＣＣＥアグリゲーションレベルの大小を表し、Ｓｉｚｅは各ＣＣＥアグリゲーションレベルの大小に対応し、ブラインド検出しなければならないＣＣＥの数を表し、Ｍ（Ｌ）は、相応の各ＣＣＥアグリゲーションレベルの大小のブラインド検出を試みた回数を表す。図２ではさらに、当該ブラインド検出過程を示す。表１に基づき、ＵＥがダウンリンクサブフレームにおいて２２ＣＣＥを試みなければならない。ここで、共通検索スペースは合計６ＣＣＥあり、ユーザー専属検索スペースは計１６ＣＣＥある。
【表１】
2014515567.tif 000001
【０００５】
ロング・ターム・エボリューション・アドバンスト（ＬＴＥ−Ａｄｖａｎｃｅｄ）システムが進化を続ける過程において、多地点協調送受信（Ｃｏｏｒｄｉｎａｔｅｄ  Ｍｕｌｔｉｐｌｅ  Ｐｏｉｎｔ，ＣＯＭＰ）および進化されたマルチユーザー多入力多出力（Ｍｕｔｉ−Ｕｓｅｒ−ＭＩＭＯ，ＭＵ−ＭＩＭＯ）の伝送方案を正に現在研究している。ここで、ＣＯＭＰの考えられるシーンは、マクロ基地局と複数の散在する遠隔無線装置（Ｒｅｍｏｔ  Ｒａｄｉｏ  Ｈｅａｄ，ＲＲＨ）がロジックセルを構成すると、当該セルのカバレッジ範囲およびアクセスするユーザー数とも、これまでのＬＴＥシステムより大幅に増加する。同時に、進化されたＭＵ−ＭＩＭＯを幅広く使用すれば、セル内のサービス先のユーザー数が大幅に増加することができる。これにより、ＰＤＣＣＨの容量に対しさらに高い要求を提示することになり、従来のＬＴＥ  ＰＤＣＣＨ設計ではニーズに応えられない。
【０００６】
同時に、日増しに高まるデータ速度およびサービス負荷の要求に伴い、これまでのマクロ基地局シングルレイヤーガバレッジを用いたアクセス方法の提供ではすでにニーズに応えられない。これに対し、ホーム基地局（Ｈｏｍｅ  ｅＮｏｄｅＢ）、Ｐｉｃｏ基地局、Ｆｅｍｔｏ基地局、中継設備（Ｒｅｌａｙ）のような、階層化ガバレッジ、ホットエリアまたは屋内部署にある一部の省電力基地局を用いれば、このような問題を効果的に解決できる。このような省電力基地局は、ホームの屋内環境、オフィス環境、または他のホットスモールガバレッジ環境において応用される基地局設備であり、事業者により高いデータ速度、コストがより低く魅力あるサービスを提供できるようにさせる。しかし、ここでｆｅｍｔｏ基地局は、アクセスするメンバーユーザーに対して一定の制限があり、非メンバーユーザーはアクセスできない。もし、非メンバーユーザーが当該基地局のカバレッジ範囲に入れば、省電力基地局の信号が比較的強いためにガバレッジホール（ｃｏｖｅｒａｇｅ  ｈｏｌｅ）に入り、作業ができなくなる。この他に、ｐｉｃｏ基地局がもしマクロ基地局と同じ周波数に位置していれば、強い干渉が発生し、作業ができなくなる可能性がある。従来のこのような干渉の解決方法は、オールモストサブフレーム（ａｌｍｏｓｔ  Ｂｌａｎｋ  Ｓｕｂｆｒａｍｅ，ＡＢＳ）を用いるＴＤＭ態様のセル間干渉協調（Ｉｎｔｅｒ−Ｃｅｌｌ  Ｉｎｔｅｒｆｅｒｅｎｃｅ  Ｃｏｏｒｄｉｎａｔｉｏｎ，ＩＣＩＣ）の実行である。当該態様を用いる場合、基地局がＡＢＳサブフレームでの信号の送信を減らすことにより、隣接地に対する干渉を低減するという態様になる。現在、ＴＤＭ  ＩＣＩＣメカニズムにおいて、干渉基地局側はＡＢＳサブフレームを設置される。即ち、干渉基地局はＡＢＳのようなサブフレームでは干渉を避けるため、いかなる制御情報も伝送しない。これにより、ＡＢＳメカニズムの導入により、ＰＤＣＣＨを送信できるサブフレームリソースをさらに減少させ、ひいてはＰＤＣＣＨリソースが制限を受ける。
【０００７】
図３に示す通り、前記のＰＤＣＣＨリソースが受ける制限および容量不足の問題を解決するための解決方案として、ダウンリンクサブフレームにおけるＰＤＳＣＨ領域（即ちデータ領域）において、ＰＲＢ（Ｐｈｙｓｉｃａｌ  Ｒｅｓｏｕｒｃｅ  Ｂｌｏｃｋ，物理リソースブロック）を単位とする進化ＰＤＣＣＨ（Ｅｎｈａｎｃｅｄ  ＰＤＣＣＨ）を送信することができる。これまでのＰＤＣＣＨをＬｅｇａｃｙ  ＰＤＣＣＨと呼ぶ。
【発明の概要】
【発明が解決しようとする課題】
【０００８】
本発明の過程の実現において、発明者は従来の技術に以下の問題があると考えている。
【０００９】
基地局は、ダウンリンクサブフレームの制御領域にて、これまでのＰＤＣＣＨを送信でき、データ領域にて進化ＰＤＣＣＨも送信できる。ＣＳＳは、これまでのＰＤＣＣＨに位置することができ、進化ＰＤＣＣＨに位置することもできる。同様に、ＵＥＳＳは、これまでのＰＤＣＣＨに位置することができ、進化ＰＤＣＣＨに位置することもできる。しかし、現在のＵＥは、ＣＳＳとＵＥＳＳの具体的な位置を獲得できず、ＰＤＣＣＨが伝送するデータを正確に受信できない。
【課題を解決するための手段】
【００１０】
本発明に係る実施形態は、端末がＰＤＣＣＨのＣＳＳとＵＥＳＳのリソース位置を獲得できないという課題を解決するリソース位置指示方法および装置を提供する。
【００１１】
本発明に係るリソース位置指示方法は、
基地局が、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）の共通検索スペース（Ｃｏｍｍｏｎ  Ｓｅａｒｃｈ  Ｓｐａｃｅ，ＣＳＳ）リソース位置およびＰＤＣＣＨのユーザー専属検索スペース（ＵＥ−ｓｐｅｃｉｆｉｃ  Ｓｅａｒｃｈ  Ｓｐａｃｅ，ＵＥＳＳ）のリソース位置を決定し、前記リソース位置がダウンリンクサブフレームの制御領域、または、データ領域にあるステップと、
基地局がシグナリングを介して、決定結果を端末へ送信するステップと、
を備える。
【００１２】
本発明に係るリソース位置指示装置は、
物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）の共通検索スペース（Ｃｏｍｍｏｎ  Ｓｅａｒｃｈ  Ｓｐａｃｅ，ＣＳＳ）リソース位置およびＰＤＣＣＨのユーザー専属検索スペース（ＵＥ−ｓｐｅｃｉｆｉｃ  Ｓｅａｒｃｈ  Ｓｐａｃｅ，ＵＥＳＳ）のリソース位置を決定し、前記リソース位置がダウンリンクサブフレームの制御領域またはデータ領域にある、リソース位置決定ユニットと、
シグナリングを介して、決定結果を端末へ送信する、リソース位置情報送信ユニットと、
を備える。
【００１３】
本発明によれば、基地局は、ＰＤＣＣＨのＣＳＳとＵＥＳＳがダウンリンクサブフレームの制御領域またはデータ領域に位置するという情報を端末へ送信し、端末にＰＤＣＣＨのＣＳＳとＵＥＳＳのリソース位置を獲得させる。
【００１４】
また、本発明に係る実施形態は、ＵＥがＰＤＣＣＨを正確に受信できないという課題を解決する物理ダウンリンク制御チャネルブラインド検出方法、システムおよび装置をさらに提供する。
【００１５】
本発明に係る物理ダウンリンク制御チャネルブラインド検出方法は、
端末が、基地局が送信した物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）の共通検索スペース（Ｃｏｍｍｏｎ  Ｓｅａｒｃｈ  Ｓｐａｃｅ，ＣＳＳ）のリソース位置およびＰＤＣＣＨのユーザー専属検索スペース（ＵＥ−ｓｐｅｃｉｆｉｃ  Ｓｅａｒｃｈ  Ｓｐａｃｅ，ＵＥＳＳ）のリソース位置情報を受信し、前記リソース位置がダウンリンクサブフレームの制御領域またはデータ領域にあるステップと、
端末がＣＳＳのリソース位置に基づき、ＰＤＣＣＨのＣＳＳブラインド検出を行い、ＵＥＳＳのリソース位置に基づき、ＰＤＣＣＨのＵＥＳＳブラインド検出を行うステップと、
を備える。
【００１６】
本発明に係る物理ダウンリンク制御チャネルブラインド検出装置は、
基地局が、送信した物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）の共通検索スペース（Ｃｏｍｍｏｎ  Ｓｅａｒｃｈ  Ｓｐａｃｅ，ＣＳＳ）のリソース位置およびＰＤＣＣＨのユーザー専属検索スペースＵＥＳＳのリソース位置情報を受信し、前記リソース位置がダウンリンクサブフレームの制御領域またはデータ領域にある、リソース位置情報受信ユニットと、
ＣＳＳのリソース位置に基づき、ＰＤＣＣＨのＣＳＳブラインド検出を行い、（ＵＥ−ｓｐｅｃｉｆｉｃ  Ｓｅａｒｃｈ  Ｓｐａｃｅ，ＵＥＳＳ）のリソース位置に基づき、ＰＤＣＣＨのＵＥＳＳブラインド検出を行う、チャネルブラインド検出ユニットと、
を備える。
【００１７】
本発明に係る無線通信システムは、
物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）の共通検索スペースＣｏｍｍｏｎ  Ｓｅａｒｃｈ  Ｓｐａｃｅ，ＣＳＳ）リソース位置およびＰＤＣＣＨのユーザー専属検索スペース（ＵＥ−ｓｐｅｃｉｆｉｃ  Ｓｅａｒｃｈ  Ｓｐａｃｅ，ＵＥＳＳ）のリソース位置を決定し、前記リソース位置がダウンリンクサブフレームの制御領域またはデータ領域に位置し、シグナリングを介して、決定結果を端末へ送信する、基地局と、
基地局が送信したＰＤＣＣＨのＣＳＳのリソース位置とＰＤＣＣＨのＵＥＳＳのリソース位置情報を受信し、ＣＳＳのリソース位置に基づき、ＰＤＣＣＨのＣＳＳブラインド検出を行い、ＵＥＳＳのリソース位置に基づき、ＰＤＣＣＨのＵＥＳＳブラインド検出を行う、端末と、を備える。
【発明の効果】
【００１８】
本発明によれば、端末は、基地局が送信したＰＤＣＣＨのＣＳＳとＵＥＳＳに位置するダウンリンクサブフレームの制御領域またはデータ領域の情報を受信し、さらに、受信した情報に基づき、相応するリソース位置において、ＰＤＣＣＨのＣＳＳブラインド検出とＵＥＳＳブラインド検出を行う。これにより、端末がＰＤＣＣＨのＣＳＳとＵＥＳＳのリソース位置を獲得できないためにＰＤＣＣＨを正確に受信できないという問題を解決できる。
【図面の簡単な説明】
【００１９】
【図１】図１は、従来の技術に係るダウンリンクサブフレームにおける制御領域とデータ領域の多重化関係を示す図である。
【図２】図２は、従来の技術においてＵＥがダウンリンクサブフレームにおけるＰＤＣＣＨブラインド検出を示す図である。
【図３】図３は、従来の技術における進化ＰＤＣＣＨ構造を示す図である。
【図４】図４は、本発明に係る実施形態の方法のフロー図である。
【図５】図５は、本発明に係る実施形態の別の方法のフロー図である。
【図６】図６は、本発明に係る実施形態のシステム構造を示す図である。
【図７】図７は、本発明に係る実施形態の設備構造を示す図である。
【図８】図８は、本発明に係る実施形態の別の設備構造を示す図である。
【発明を実施するための形態】
【００２０】
ＵＥがＰＤＣＣＨのＣＳＳとＵＥＳＳのリソース位置を獲得できないという問題を解決するため、本発明に係る実施形態はリソース位置指示方法を提供する。当該方法において、基地局はＰＤＣＣＨのＣＳＳのリソース位置とＰＤＣＣＨのＵＥＳＳのリソース位置を端末に指示する。
【００２１】
図４に示す本発明に係る実施形態のリソース位置指示方法は、以下のステップ４０と、ステップ４１とを備える。
【００２２】
ステップ４０において、基地局は、ＰＤＣＣＨのＣＳＳリソース位置とＰＤＣＣＨのＵＥＳＳのリソース位置を決定し、前記決定したリソース位置は、ダウンリンクサブフレームの制御領域および／またはデータ領域にある。
【００２３】
ステップ４１において、基地局はシグナリングを介して、決定結果を端末へ送信する。即ち、ＰＤＣＣＨのＣＳＳはダウンリンクサブフレームの制御領域またはデータ領域に位置するという情報、およびＰＤＣＣＨのＵＥＳＳはダウンリンクサブフレームの制御領域またはデータ領域に位置するという情報を端末へ送信する。
【００２４】
具体的に、ＰＤＣＣＨのＣＳＳとＵＥＳＳのリソース位置は、全てのダウンリンクサブフレームの制御領域にある。
【００２５】
または、ＰＤＣＣＨのＣＳＳのリソース位置は、ダウンリンクサブフレームの制御領域にあり、ＰＤＣＣＨのＵＥＳＳのリソース位置は、ダウンリンクサブフレームのデータ領域にある。
【００２６】
または、ＰＤＣＣＨのＣＳＳのリソース位置は、ダウンリンクサブフレームのデータ領域にあり、ＰＤＣＣＨのＵＥＳＳのリソース位置は、ダウンリンクサブフレームの制御領域にある。
【００２７】
または、ＰＤＣＣＨのＣＳＳとＵＥＳＳのリソース位置は、全てのダウンリンクサブフレームのデータ領域にある。
【００２８】
ステップ４０において、基地局は、ＰＤＣＣＨのＣＳＳのリソース位置とＰＤＣＣＨのＵＥＳＳのリソース位置を決定する。具体的な実現については以下の２種類の態様を用いることができる。
【００２９】
第１態様（第１のアプローチ）では、基地局は、全ダウンリンクサブフレームに対して１個のＰＤＣＣＨのＣＳＳのリソース位置と１個のＰＤＣＣＨのＵＥＳＳのリソース位置を決定する。即ち、端末が全ダウンリンクサブフレームにおいてＣＳＳブラインド検出を行うリソース位置は、同じであり、全ダウンリンクサブフレームにおいてＵＥＳＳブラインド検出を行うリソース位置も同じである。
【００３０】
第２態様（第２のアプローチ）では、基地局は、予定時間周期内の各ダウンリンクサブフレームに対して、ＰＤＣＣＨのＣＳＳのリソース位置とＰＤＣＣＨのＵＥＳＳのリソース位置をそれぞれ決定する。即ち、予定時間周期内の各ダウンリンクサブフレームにおいて、端末は、当該ダウンリンクサブフレームが決定したＣＳＳリソース位置に対してＣＳＳブラインド検出を行い、当該ダウンリンクサブフレームが決定したＵＥＳＳリソース位置に対してＵＥＳＳブラインド検出を行う。
【００３１】
当然、基地局がＰＤＣＣＨのＣＳＳのリソース位置とＰＤＣＣＨのＵＥＳＳのリソース位置を決定する態様は、前記２種類の態様に限らない。以下の態様を用いることもできる。
【００３２】
基地局は、全ダウンリンクサブフレームに対して１個のＰＤＣＣＨのＣＳＳのリソース位置を決定する。予定時間周期内の各ダウンリンクサブフレームに対して、それぞれＰＤＣＣＨのＵＥＳＳのリソース位置を決定する。即ち、全ダウンリンクサブフレームにおいて、端末がＣＳＳブラインド検出を行うリソース位置は、同じである。しかし、予定時間周期内の各ダウンリンクサブフレームにおいて、端末は当該ダウンリンクサブフレームの決定したＵＥＳＳリソース位置においてＵＥＳＳブラインド検出を行う。
【００３３】
また、基地局がＰＤＣＣＨのＣＳＳのリソース位置とＰＤＣＣＨのＵＥＳＳのリソース位置を決定する態様は、下記とおりである。
基地局は、全ダウンリンクサブフレームに対して、１個のＰＤＣＣＨのＵＥＳＳのリソース位置を決定し、予定時間周期内の各ダウンリンクサブフレームに対して、それぞれＰＤＣＣＨのＣＳＳのリソース位置を決定する。即ち、全ダウンリンクサブフレームにおいて、端末がＵＥＳＳブラインド検出を行うリソース位置は同じである。しかし、予定時間周期内の各ダウンリンクサブフレームにおいて、端末は、当該ダウンリンクサブフレームの決定したＣＳＳリソース位置においてＣＳＳブラインド検出を行う。  
【００３４】
また、基地局がＰＤＣＣＨのＣＳＳのリソース位置とＰＤＣＣＨのＵＥＳＳのリソース位置を決定する態様は、以下とおりである。
基地局は、各ダウンリンクサブフレームに対して、それぞれＰＤＣＣＨのＣＳＳのリソース位置とＰＤＣＣＨのＵＥＳＳのリソース位置を決定する。即ち、各ダウンリンクサブフレームにおいて、端末は、当該ダウンリンクサブフレームの決定したＣＳＳリソース位置においてＣＳＳブラインド検出を行い、当該ダウンリンクサブフレームの決定したＵＥＳＳリソース位置においてＵＥＳＳブラインド検出を行う。
【００３５】
ステップ４１において、基地局は、決定結果を端末へ送信する。その具体的な実現は以下の２種類の態様を用いることができる。
【００３６】
第１態様（第１のアプローチ）では、基地局は、シグナリングを介して、ＰＤＣＣＨのＣＳＳとＵＥＳＳのリソース位置情報を端末へ送信する。
【００３７】
第２態様（第２のアプローチ）では、基地局は、シグナリングを介して、ＰＤＣＣＨのＣＳＳのリソース位置情報を端末へ送信し、別のシグナリングを介して、ＰＤＣＣＨのＵＥＳＳのリソース位置情報を端末へ送信する。
【００３８】
例えば、基地局が全ダウンリンクサブフレームに対して、１個のＰＤＣＣＨのＣＳＳのリソース位置と１個のＰＤＣＣＨのＵＥＳＳのリソース位置を決定する場合、基地局は、シグナリングを介して、ＰＤＣＣＨのＣＳＳが全ダウンリンクサブフレームの制御領域またはデータ領域に位置するという情報、およびＰＤＣＣＨのＵＥＳＳが全ダウンリンクサブフレームの制御領域またはデータ領域に位置するという情報を端末へ送信することができる。または、基地局は、シグナリングを介して、ＰＤＣＣＨのＣＳＳが全ダウンリンクサブフレームの制御領域またはデータ領域に位置するという情報を端末へ送信し、別のシグナリングを介して、ＰＤＣＣＨのＵＥＳＳが全ダウンリンクサブフレームの制御領域またはデータ領域に位置するという情報を端末へ送信する。
【００３９】
また、例えば、基地局が予定時間周期内の各ダウンリンクサブフレームに対して、それぞれＰＤＣＣＨのＣＳＳのリソース位置とＰＤＣＣＨのＵＥＳＳのリソース位置を決定する場合、基地局は、シグナリングを介して、予定時間周期内のダウンリンクサブフレームごとに、決定したＰＤＣＣＨのＣＳＳが、当該ダウンリンクサブフレームの制御領域またはデータ領域に位置するという情報を端末へ送信することができ、別のシグナリングを介して、予定時間周期内のダウンリンクサブフレームごとに、決定したＰＤＣＣＨのＵＥＳＳが当該ダウンリンクサブフレームの制御領域またはデータ領域に位置するという情報を端末へ送信することができる。または、基地局は、シグナリングを介して、予定時間周期内のダウンリンクサブフレームごとの決定したＰＤＣＣＨのＣＳＳが当該ダウンリンクサブフレームの制御領域またはデータ領域に位置するという情報、および予定時間周期内のダウンリンクサブフレームごとの決定したＰＤＣＣＨのＵＥＳＳが当該ダウンリンクサブフレームの制御領域またはデータ領域に位置するという情報を端末へ送信する。
【００４０】
具体的に、基地局が全ダウンリンクサブフレームに対して１個のＰＤＣＣＨのＣＳＳのリソース位置と１個のＰＤＣＣＨのＵＥＳＳのリソース位置を決定し、かつ、基地局がシグナリングを介して、ＰＤＣＣＨのＣＳＳとＵＥＳＳのリソース位置情報を端末へ送信する場合、当該シグナリングは、ＰＤＣＣＨのＣＳＳとＵＥＳＳのリソース位置を共同指示する２ビットを運ぶ。即ち、当該２ビットの４種類の状態値は、それぞれ前記４種類のＣＳＳとＵＥＳＳのリソース位置の組み合わせ態様における１つを指示する。
【００４１】
基地局が、全ダウンリンクサブフレームに対して１個のＰＤＣＣＨのＣＳＳのリソース位置と１個のＰＤＣＣＨのＵＥＳＳのリソース位置を決定し、かつ、基地局がシグナリングを介して、ＰＤＣＣＨのＣＳＳのリソース位置端末へ送信し、別のシグナリングを介して、ＰＤＣＣＨのＵＥＳＳのリソース位置情報を端末へ送信する場合、当該シグナリングは、ＰＤＣＣＨのＣＳＳのリソース位置を単独指示する１ビットを運ぶ。即ち、当該１ビットの２種類の状態値は、それぞれＰＤＣＣＨのＣＳＳのリソース位置を指示する。当該別のシグナリングは、ＰＤＣＣＨのＵＥＳＳのリソース位置を単独指示する１ビットを運ぶ。即ち、当該１ビットの２種類の状態値は、それぞれＰＤＣＣＨのＵＥＳＳのリソース位置を指示する。
【００４２】
基地局が予定時間周期内の各ダウンリンクサブフレームに対して、それぞれＰＤＣＣＨのＣＳＳのリソース位置とＰＤＣＣＨのＵＥＳＳのリソース位置を決定し、かつ、基地局がシグナリングを介して、ＰＤＣＣＨのＣＳＳとＵＥＳＳのリソース位置情報を端末へ送信する場合、当該シグナリングには、予定時間周期内のダウンリンクサブフレームごとに、当該ダウンリンクサブフレームにおけるＰＤＣＣＨに対応するＣＳＳとＵＥＳＳのリソース位置を共同指示する２ビットを運ぶ。即ち、当該２ビットの４種類の状態値は、対応するダウンリンクサブフレームにて前記４種類のＣＳＳとＵＥＳＳのリソース位置の組み合わせ態様における１つをそれぞれ指示する。
【００４３】
基地局が予定時間周期内の各ダウンリンクサブフレームに対して、それぞれＰＤＣＣＨのＣＳＳのリソース位置とＰＤＣＣＨのＵＥＳＳのリソース位置を決定し、かつ、基地局がシグナリングを介して、ＰＤＣＣＨのＣＳＳのリソース位置情報を端末へ送信し、別のシグナリングを介して、ＰＤＣＣＨのＵＥＳＳのリソース位置情報を端末へ送信する場合、当該シグナリングは、予定時間周期内のダウンリンクサブフレームごとに、各自のダウンリンクサブフレームにおけるＰＤＣＣＨのＣＳＳのリソース位置を単独指示する１ビットを運ぶ。即ち、当該１ビットの２種類の状態値は、ダウンリンクサブフレームにおけるＰＤＣＣＨに対応するＣＳＳのリソース位置をそれぞれ指示する。当該別のシグナリングは、予定時間周期内のダウンリンクサブフレームごとに、各自のダウンリンクサブフレームにおける、ＰＤＣＣＨのＵＥＳＳのリソース位置を単独指示する１ビットを運ぶ。即ち、当該１ビットの２種類の状態値は、ダウンリンクサブフレームにてＰＤＣＣＨに対応するＵＥＳＳのリソース位置をそれぞれ指示する。
【００４４】
好ましくは、ＣＯＭＰメカニズムまたはＭＵ−ＭＩＭＯメカニズムを用いる場合、ＰＤＣＣＨのＣＳＳのリソース位置は、ダウンリンクサブフレームの制御領域にあり、ＰＤＣＣＨのＵＥＳＳのリソース位置は、ダウンリンクサブフレームのデータ領域にある。  
【００４５】
ＴＤＭ  ＩＣＩＣメカニズムを用いる場合、ＰＤＣＣＨのＣＳＳとＵＥＳＳのリソース位置は、全てのダウンリンクサブフレームのデータ領域にあり、かつ、前記端末は、被干渉セルに位置する。
【００４６】
ＴＤＭ  ＩＣＩＣメカニズムを用いる場合、被干渉ダウンリンクサブフレームについて、ＰＤＣＣＨのＣＳＳとＵＥＳＳのリソース位置は、全て当該被干渉ダウンリンクサブフレームのデータ領域にある。まだ干渉されていない被干渉ダウンリンクサブフレームについて、ＰＤＣＣＨのＣＳＳのリソース位置は、当該まだ干渉されていない被干渉ダウンリンクサブフレームの制御領域にあり、ＰＤＣＣＨのＵＥＳＳのリソース位置は、当該まだ干渉されていない被干渉ダウンリンクサブフレームのデータ領域または制御領域にある。かつ、前記端末は、被干渉セルに位置する。
【００４７】
本方法において、前記シグナリングは、ブロードキャストする上位層シグナリングまたは端末専属の上位層シグナリング等でもよい。
【００４８】
図５に示す本発明に係る物理ダウンリンク制御チャネルブラインド検出方法は、以下のステップ５０と、ステップ５１とを備える。
【００４９】
ステップ５０において、端末は、基地局が送信したＰＤＣＣＨのＣＳＳのリソース位置とＰＤＣＣＨのＵＥＳＳのリソース位置情報を受信する。前記基地局が送信したリソース位置は、ダウンリンクサブフレームの制御領域および／またはデータ領域にある。
【００５０】
ステップ５１において、端末はＰＤＣＣＨのＣＳＳのリソース位置に基づき、ＰＤＣＣＨのＣＳＳブラインド検出を行い、ＰＤＣＣＨのＵＥＳＳのリソース位置に基づき、ＰＤＣＣＨのＵＥＳＳブラインド検出を行う。即ち、もし、ＣＳＳのリソース位置がダウンリンクサブフレームの制御領域にあれば、当該制御領域においてＣＳＳブラインド検出を行う。もし、ＣＳＳのリソース位置がダウンリンクサブフレームのデータ領域にあれば、当該データ領域においてＣＳＳブラインド検出を行う。もし、ＵＥＳＳのリソース位置がダウンリンクサブフレームの制御領域にあれば、当該制御領域においてＵＥＳＳブラインド検出を行う。もし、ＵＥＳＳのリソース位置がダウンリンクサブフレームのデータ領域にあれば、当該データ領域においてＵＥＳＳブラインド検出を行う。
【００５１】
具体的に、ＰＤＣＣＨのＣＳＳとＵＥＳＳのリソース位置は、全てのダウンリンクサブフレームの制御領域にある。
【００５２】
または、ＰＤＣＣＨのＣＳＳのリソース位置は、ダウンリンクサブフレームの制御領域にあり、ＰＤＣＣＨのＵＥＳＳのリソース位置は、ダウンリンクサブフレームのデータ領域にある。
【００５３】
または、ＰＤＣＣＨのＣＳＳのリソース位置は、ダウンリンクサブフレームのデータ領域にあり、ＰＤＣＣＨのＵＥＳＳのリソース位置は、ダウンリンクサブフレームの制御領域にある。
【００５４】
または、ＰＤＣＣＨのＣＳＳとＵＥＳＳのリソース位置は、全てのダウンリンクサブフレームのデータ領域にある。
【００５５】
ステップ５０において、端末は、基地局が送信したＰＤＣＣＨのＣＳＳのリソース位置とＰＤＣＣＨのＵＥＳＳのリソース位置情報とを受信する。その具体的な実現は以下の２種類の態様を用いることができる。
【００５６】
第１態様（第１のアプローチ）では、端末は、シグナリングを介して、基地局が送信したＰＤＣＣＨのＣＳＳのリソース位置とＰＤＣＣＨのＵＥＳＳのリソース位置情報を受信する。
【００５７】
第２態様（第２のアプローチ）では、端末は、シグナリングを介して、基地局が送信したＰＤＣＣＨのＣＳＳのリソース位置情報を受信し、別のシグナリングを介して、基地局が送信したＰＤＣＣＨのＵＥＳＳのリソース位置情報を受信する。
【００５８】
ステップ５１において、端末は、ＰＤＣＣＨのＣＳＳのリソース位置に基づき、ＰＤＣＣＨのＣＳＳブラインド検出を行い、ＰＤＣＣＨのＵＥＳＳのリソース位置に基づき、ＰＤＣＣＨのＵＥＳＳブラインド検出を行う。その具体的な実現は以下の２種類の態様を用いることができる。
【００５９】
第１態様（第１のアプローチ）では、端末が、基地局が全ダウンリンクサブフレームに対して送信した１個のＰＤＣＣＨのＣＳＳのリソース位置と１個のＰＤＣＣＨのＵＥＳＳのリソース位置情報とを受信する場合、全ダウンリンクサブフレームの当該ＣＳＳのリソース位置においてＣＳＳブラインド検出を行い、全ダウンリンクサブフレームの当該ＵＥＳＳのリソース位置にてＵＥＳＳブラインド検出を行う。
【００６０】
第２態様（第２のアプローチ）では、端末が、基地局が予定時間周期内の各ダウンリンクサブフレームに対して、それぞれ決定したＰＤＣＣＨのＣＳＳのリソース位置とＰＤＣＣＨのＵＥＳＳのリソース位置情報を受信する場合、前記予定時間周期内の各ダウンリンクサブフレームにおいて、当該ダウンリンクサブフレームに対応するＣＳＳのリソース位置にてＣＳＳブラインド検出を行い、当該ダウンリンクサブフレームに対応するＵＥＳＳのリソース位置にてＵＥＳＳブラインド検出を行う。
【００６１】
もちろん、端末は、ＣＳＳのリソース位置に基づき、ＰＤＣＣＨのＣＳＳブラインド検出を行い、ＵＥＳＳのリソース位置に基づき、ＰＤＣＣＨのＵＥＳＳブラインド検出を行うが、前記２種類の態様に限らない。以下の態様を用いることもできる。
【００６２】
端末が、基地局が全ダウンリンクサブフレームに対して決定した１個のＰＤＣＣＨのＣＳＳのリソース位置、または、予定時間周期内の各ダウンリンクサブフレームに対して決定したそれぞれのＰＤＣＣＨのＵＥＳＳのリソース位置を受信する場合、端末は、全ダウンリンクサブフレームの上記１個のＣＳＳのリソース位置にてＣＳＳブラインド検出を行う。また、予定時間周期内の各ダウンリンクサブフレームにおいて、端末は、当該ダウンリンクサブフレームの決定したＵＥＳＳリソース位置にてＵＥＳＳブラインド検出を行う。
【００６３】
また、端末が、ＣＳＳのリソース位置に基づき、ＰＤＣＣＨのＣＳＳブラインド検出を行い、ＵＥＳＳのリソース位置に基づき、ＰＤＣＣＨのＵＥＳＳブラインド検出を行うことは、下記とおりである。
端末が、基地局が全ダウンリンクサブフレームに対して決定したそれぞれのＰＤＣＣＨのＵＥＳＳのリソース位置、または、予定時間周期内の各ダウンリンクサブフレームに対して決定したそれぞれのＰＤＣＣＨのＣＳＳのリソース位置を受信する場合、端末は、全ダウンリンクサブフレームの上記１個のＵＥＳＳのリソース位置にてＵＥＳＳブラインド検出を行う。予定時間周期内の各ダウンリンクサブフレームにおいて、端末は当該ダウンリンクサブフレームの決定したＣＳＳリソース位置にてＣＳＳブラインド検出を行う。
【００６４】
また、端末がＣＳＳのリソース位置に基づき、ＰＤＣＣＨのＣＳＳブラインド検出を行い、ＵＥＳＳのリソース位置に基づき、ＰＤＣＣＨのＵＥＳＳブラインド検出を行うことは、下記とおりである。
端末が、基地局が全ダウンリンクサブフレームにて各ダウンリンクサブフレームに対して決定したそれぞれのＰＤＣＣＨのＣＳＳのリソース位置とＰＤＣＣＨのＵＥＳＳのリソース位置とを受信する状況において、各ダウンリンクサブフレームにおいて、端末は、当該ダウンリンクサブフレームに対して決定したＣＳＳリソース位置にてＣＳＳブラインド検出を行い、当該ダウンリンクサブフレームに対して決定したＵＥＳＳリソース位置にてＵＥＳＳブラインド検出を行う。
【００６５】
具体的に、端末がシグナリングを介して、基地局が送信した全ダウンリンクサブフレームに対して決定したＰＤＣＣＨのＣＳＳのリソース位置とＰＤＣＣＨのＵＥＳＳのリソース位置を受信する場合、当該シグナリングは、ＰＤＣＣＨのＣＳＳとＵＥＳＳのリソース位置を共同指示する２ビットが運ばれている。
【００６６】
または、端末が、シグナリングを介して、基地局が送信した全ダウンリンクサブフレームに対して決定したＰＤＣＣＨのＣＳＳのリソース位置を受信し、別のシグナリングを介して、基地局が送信した全ダウンリンクサブフレームに対して決定したＰＤＣＣＨのＵＥＳＳのリソース位置を受信する場合、当該シグナリングには、ＰＤＣＣＨのＣＳＳのリソース位置を単独指示する１ビットが運ばれる。当該別のシグナリングには、ＰＤＣＣＨのＵＥＳＳのリソース位置を単独指示する１ビットが運ばれる。
【００６７】
または、端末がシグナリングを介して、基地局が予定時間周期内の各ダウンリンクサブフレームに対して、それぞれ決定したＰＤＣＣＨのＣＳＳのリソース位置とＰＤＣＣＨのＵＥＳＳのリソース位置を受信する場合、当該シグナリングにおいて予定時間周期内の各ダウンリンクサブフレームに対して、ダウンリンクサブフレームにてＰＤＣＣＨに対応するＣＳＳとＵＥＳＳのリソース位置を共同指示する２ビットを運び。
【００６８】
または、端末が、シグナリングを介して、基地局が送信した予定時間周期内の各ダウンリンクサブフレームに対して決定したそれぞれのＰＤＣＣＨのＣＳＳのリソース位置を受信し、別のシグナリングを介して、基地局が送信した予定時間周期内の各ダウンリンクサブフレームに対して決定したそれぞれのＰＤＣＣＨのＵＥＳＳのリソース位置を受信する場合、当該シグナリングには、予定時間周期内のダウンリンクサブフレームごとに、各自のダウンリンクサブフレームにおけるＰＤＣＣＨのＣＳＳのリソース位置を単独指示する１ビットが運ばれ、当該別のシグナリングにおいて予定時間周期内のダウンリンクサブフレームごとに、各自のダウンリンクサブフレームにおけるＰＤＣＣＨのＵＥＳＳのリソース位置を単独指示する１ビットが運ばれる。
【００６９】
好ましくは、ＣＯＭＰメカニズムまたはＭＵ−ＭＩＭＯメカニズムを用いる場合、ＰＤＣＣＨのＣＳＳはダウンリンクサブフレームの制御領域に位置し、ＰＤＣＣＨのＵＥＳＳはダウンリンクサブフレームのデータ領域に位置する。
【００７０】
または、ＴＤＭセル間干渉協調ＩＣＩＣメカニズムを用いる場合、ＰＤＣＣＨのＣＳＳとＵＥＳＳは全てのダウンリンクサブフレームのデータ領域に位置し、かつ、前記端末は、被干渉セルに位置する。
【００７１】
または、ＴＤＭ  ＩＣＩＣメカニズムを用いる場合、被干渉ダウンリンクサブフレームについては、ＰＤＣＣＨのＣＳＳとＵＥＳＳは全て当該被干渉ダウンリンクサブフレームのデータ領域に位置する。まだ干渉されていない被干渉ダウンリンクサブフレームについては、ＰＤＣＣＨのＣＳＳは当該まだ干渉されていない被干渉ダウンリンクサブフレームの制御領域に位置し、ＰＤＣＣＨのＵＥＳＳは、当該まだ干渉されていない被干渉ダウンリンクサブフレームのデータ領域または制御領域位置に位置し、かつ、前記端末は、被干渉セルに位置する。
【００７２】
本方法において、前記シグナリングは、ブロードキャストする上位層シグナリングまたは端末専属の上位層シグナリング等でもよい。
【００７３】
本発明において、ダウンリンクサブフレームの制御領域における基地局処理とＵＥ処理はＬＴＥ  Ｒｅｌ−８基準が求める態様と同じである。即ち、ＵＥが制御領域においてＰＤＣＣＨのリソース位置を測定しなければならないと通知されると、制御領域にて行うＣＳＳとＵＥＳＳブラインド検出は、従来の基準態様に基づいて行う。ＵＥは、ダウンリンクサブフレームのデータ領域にてＰＤＣＣＨ測定をしなければならないリソース位置において、既定の規則に基づき、ＰＲＢを一単位としてＣＳＳとＵＥＳＳブラインド検出を行う。ＵＥが置かれている周波数領域のＰＲＢ位置領域等は、基地局により上位層シグナリングを介して、ＵＥに知らせことができる。例えば、ＵＥは、領域にて最小周波数を有するＰＲＢから始め、１ＰＲＢを単位としてアグリゲーションレベルが１であるＰＤＣＣＨを検索し、毎２ＰＲＢを単位としてアグリゲーションレベルが２であるＰＤＣＣＨを検索する。他も同様だと推測できる。
【００７４】
基地局側と端末側の全体フローは、以下の通りである。
【００７５】
ステップ１において、基地局は、ＰＤＣＣＨのＣＳＳリソース位置とＰＤＣＣＨのＵＥＳＳのリソース位置を決定する。前記決定したリソース位置は、ダウンリンクサブフレームの制御領域および／またはデータ領域にある。
【００７６】
ステップ２において、基地局は、シグナリングを介して、決定結果を端末へ送信する。
【００７７】
ステップ３において、端末は、基地局が送信したＰＤＣＣＨのＣＳＳのリソース位置とＰＤＣＣＨのＵＥＳＳのリソース位置情報を受信する。
【００７８】
ステップ４において、端末は、ＰＤＣＣＨのＣＳＳのリソース位置に基づき、ＰＤＣＣＨのＣＳＳブラインド検出を行い、ＰＤＣＣＨのＵＥＳＳのリソース位置に基づき、ＰＤＣＣＨのＵＥＳＳブラインド検出を行う。
【００７９】
以下に本発明について詳細を記述する。
【００８０】
本発明は、ＵＥが共通検索スペースおよび／またはユーザー専属検索スペースにおけるＤＣＩを正確に受信できるためのＵＥに対するＰＤＣＣＨ検索スペース設置の方法を提供する。以下、詳細に説明する。
【００８１】
基地局は、シグナリングを介して、ＵＥのＰＤＣＣＨブラインド検出中のＣＳＳとＵＥＳＳがあるリソース位置をＵＥに知らせる。
即ち、ＵＥのＣＳＳブラインド検出が、Ｌｅｇａｃｙ  ＰＤＣＣＨ領域もしくはＥｎｈａｎｃｅｄ  ＰＤＣＣＨ領域で行うかを設置し、
ＵＥのＵＥＳＳブラインド検出が、Ｌｅｇａｃｙ  ＰＤＣＣＨ領域もしくはＥｎｈａｎｃｅｄ  ＰＤＣＣＨ領域で行うかを設置する。
【００８２】
もし、前記２つの設置が互いに独立していれば、以下の数種類の組み合わせが考えられる。
ＣＳＳは、Ｌｅｇａｃｙ  ＰＤＣＣＨ領域に位置し、（即ちダウンリンクサブフレームの制御領域）、ＵＥＳＳはＬｅｇａｃｙ  ＰＤＣＣＨ領域に位置する；
ＣＳＳは、Ｌｅｇａｃｙ  ＰＤＣＣＨ領域に位置し、ＵＥＳＳはＥｎｈａｎｃｅｄ  ＰＤＣＣＨ領域に位置する（即ちダウンリンクサブフレームのデータ領域）；
ＣＳＳは、Ｅｎｈａｎｃｅｄ  ＰＤＣＣＨ領域に位置し、ＵＥＳＳはＬｅｇａｃｙ  ＰＤＣＣＨ領域に位置する；
ＣＳＳは、Ｅｎｈａｎｃｅｄ  ＰＤＣＣＨ領域に位置し、ＵＥＳＳはＥｎｈａｎｃｅｄ  ＰＤＣＣＨ領域に位置する。
【００８３】
上記の方法に基づき、具体的なシグナリング通知態様は以下の態様を含むことができる。しかし、これに限らない。
【００８４】
単独の上位層シグナリングまたは情報域を用いて、ＣＳＳがあるリソース位置（例えば１ｂｉｔの２種類の状態）を通知し、同時に別の単独の上位層シグナリングまたは情報域を用いて、ＵＥＳＳがあるリソース位置（例えば１ｂｉｔの２種類の状態）を通知する。
【００８５】
または、上位層シグナリングまたは情報域を用いて、同時にＣＳＳおよびＵＥＳＳがあるリソース位置を通知する。例えば、２ｂｉｔＳの４種類の状態を用いて前記４種類の可能性のある組み合わせを通知する。
【００８６】
前記の上位層シグナリングは、ブロードキャストの上位層シグナリング、またはＵＥに専属する上位層シグナリングでもよい。
【００８７】
前記のＣＳＳとＵＥＳＳ設置方法は、設置時間後の全ダウンリンクサブフレームのＵＥブラインド検出の全てに有効である。つまり、ＵＥが非ＤＲＸ状態にある場合、各ダウンリンクサブフレームにおいて、全て基地局の構成に基づき、相応するリソース領域にてＣＳＳとＵＥＳＳのブラインド検出を行う。
【００８８】
さらに、設置の柔軟性を高めるため、サブフレームを区別する態様を用いて、ＵＥに各ダウンリンクサブフレームにてＣＳＳおよびＵＥＳＳをブラインド検出するリソース位置を通知できる。即ち、異なるダウンリンクサブフレームにおいて、ＵＥが異なるリソースにてＣＳＳをブラインド検出することを許可する。さらに、異なるダウンリンクサブフレームにおいて、ＵＥが異なるリソースにてＵＥＳＳをブラインド検出することを許可する。このような設計において、具体的なシグナリング通知態様は以下の態様を含むことができる。しかしこれに限らない。
【００８９】
基地局は、上位層シグナリングのビットマップ（ｂｉｔｍａｐ）を介して、一定時間周期内のダウンリンクサブフレームにおいてＣＳＳがあるリソース位置を通知する。ｂｉｔｍａｐにおける各ｂｉｔの２種類の状態は、ダウンリンクサブフレームにおけるＵＥのＣＳＳブラインド検出に対応するリソース位置を指示する。ｂｉｔｍａｐのビット長時間周期内ダウンリンクサブフレームの個数に等しい。同時に、基地局は別の上位層シグナリングのｂｉｔｍａｐを介して、一定時間周期内のダウンリンクサブフレームにおいてＵＥＳＳがあるリソース位置を通知する。ｂｉｔｍａｐにおける各ｂｉｔの２種類の状態は、ダウンリンクサブフレームにおけるＵＥのＵＥＳＳブラインド検出に対応するリソース位置を指示する。ｂｉｔｍａｐのビット長は、時間周期内ダウンリンクサブフレームの個数に等しい。
【００９０】
または、基地局は一定の長さを有する上位層シグナリングを介して、同時に一定時間周期内の各ダウンリンクサブフレームにおいてＵＥのＣＳＳブラインド検出およびＵＥＳＳがそれぞれあるリソース位置を指示する。例えば、時間周期を  １０ダウンリンクサブフレームとすれば、各ダウンリンクサブフレームにおいて２ｂｉｔｓの４種類の状態により当該サブフレームにてＵＥがＣＳＳおよびＵＥＳＳのブラインド検出を行わなければならない４種類の可能性を指示し、計２０ｂｉｔｓのシグナリング長である。
【００９１】
上記の方法に基づく具体的応用例は以下の通りである。
【００９２】
〈具体例１〉
もしシステムにおいて、ＲＲＨに基づくＣＯＭＰ技術またはＭＵ−ＭＩＭＯ技術等のＰＤＣＣＨ容量への要求がより高い応用を用いれば、Ｌｅｇａｃｙ  ＰＤＣＣＨ領域におけるＵＥは正確に信号を受信できるため、本技術案を支援するＵＥのＣＳＳのリソース位置をＬｅｇａｃｙ  ＰＤＣＣＨ領域に設置できる。また、ＵＥＳＳのリソース位置を進化ＰＤＣＣＨ領域に設置できる。かつ、設置の効力が発生する時間内に全サブフレームは同じ設置を用いる。こうして、進化ＰＤＣＣＨ領域内にてスケジューリング公共チャネルの重複送信に必要なＤＣＩが占用する規定外のシステムオーバーヘッドを避け、システムの效率を上げる。
【００９３】
〈具体例２〉  
もしシステムにおいて、ＡＢＳ態様に基づくＴＤＭ  ＩＣＩＣメカニズムを用いて階層ネットワークの干渉回避を支援するならば、被干渉セルにおけるＬｅｇａｃｙ  ＰＤＣＣＨの性能により保証を得られない。しかし、被干渉セルにおいて本方案を支援するＵＥのＣＳＳおよびＵＥＳＳのリソース位置を全て進化ＰＤＣＣＨ領域に設置できる。かつ、設置の効力が発生する時間内に全サブフレームは同じ設置を用いる。こうして、ＰＤＣＣＨの受信性能を高める。
【００９４】
ここで、被干渉セルは被干渉基地局のセルを示す。例えば、マクロ基地局および／またはＰｉｃｏ基地局階層ガバレッジのシーンにおいて、マクロ基地局は干渉基地局であり、Ｐｉｃｏ基地局は被干渉基地局である。マクロ基地局および／またはｆｅｍｔｏ基地局階層ガバレッジのシーンにおいて、ｆｅｍｔｏ基地局は干渉基地局であり、マクロ基地局は被干渉基地局である。
【００９５】
〈具体例３〉
もしシステムにおいて、ＡＢＳ態様に基づくＴＤＭ  ＩＣＩＣメカニズムを用いて、階層ネットワークの干渉回避を支援すれば、被干渉セルにおいて被干渉サブフレームにおけるＬｅｇａｃｙ  ＰＤＣＣＨの性能により保証を得られない。しかし、被干渉セルにおいて本技術案を支援するＵＥの被干渉サブフレームにおけるＵＥＳＳおよびＣＳＳのリソース位置は、全て進化ＰＤＣＣＨ領域に設置できる。同時に、前記ＵＥのまだ干渉されていない被干渉サブフレームにおけるＣＳＳのリソース位置をＬｅｇａｃｙ  ＰＤＣＣＨ領域に設置でき、ＵＥＳＳのリソース位置を進化、またはＬｅｇａｃｙ  ＰＤＣＣＨ領域に設置できる。このように、被干渉セルＵＥのＰＤＣＣＨ受信性能を保証する基礎の上に、進化ＰＤＣＣＨ領域においてスケジューリング公共チャネルの重複送信に必要なＤＣＩ占用の規定外システムオーバーヘッドをできる限り減少させ、システムの效率を上げる。  
【００９６】
ここで、被干渉サブフレームは、非ＡＢＳのフレーム番号が対応するサブフレームを示す。まだ干渉されていない被干渉サブフレームは、ＡＢＳのフレーム番号が対応するサブフレームを示す。
【００９７】
図６は、本発明に係る無線通信システムであり、当該システムは、基地局６０と、端末６１とを備える。
【００９８】
前記基地局６０は、物理ダウンリンク制御チャネルＰＤＣＣＨの共通検索スペースＣＳＳリソース位置およびＰＤＣＣＨのユーザー専属検索スペースＵＥＳＳのリソース位置を決定し、前記リソース位置は、ダウンリンクサブフレームの制御領域またはデータ領域に位置し、シグナリングを介して、決定結果を端末へ送信する。  
前記端末６１は、基地局が送信したＰＤＣＣＨのＣＳＳのリソース位置とＰＤＣＣＨのＵＥＳＳのリソース位置情報を受信し、ＣＳＳのリソース位置に基づき、ＰＤＣＣＨのＣＳＳブラインド検出を行い、ＵＥＳＳのリソース位置に基づき、ＰＤＣＣＨのＵＥＳＳブラインド検出を行う。
【００９９】
図７は本発明に係るリソース位置指示装置を示す図であり、当該装置は、
物理ダウンリンク制御チャネルＰＤＣＣＨの共通検索スペースＣＳＳリソース位置およびＰＤＣＣＨのユーザー専属検索スペースＵＥＳＳのリソース位置を決定し、前記決定したリソース位置は、ダウンリンクサブフレームの制御領域および／またはデータ領域にある、リソース位置決定ユニット７０と、
シグナリングを介して、決定結果を端末へ送信する、リソース位置情報送信ユニット７１と、
を備える。
【０１００】
さらに、ＰＤＣＣＨのＣＳＳとＵＥＳＳのリソース位置は、全てのダウンリンクサブフレームの制御領域にある。
【０１０１】
または、ＰＤＣＣＨのＣＳＳのリソース位置は、ダウンリンクサブフレームの制御領域にあり、ＰＤＣＣＨのＵＥＳＳのリソース位置は、ダウンリンクサブフレームのデータ領域にある。
【０１０２】
または、ＰＤＣＣＨのＣＳＳのリソース位置は、ダウンリンクサブフレームのデータ領域にあり、ＰＤＣＣＨのＵＥＳＳのリソース位置は、ダウンリンクサブフレームの制御領域にある。
【０１０３】
または、ＰＤＣＣＨのＣＳＳとＵＥＳＳのリソース位置は、全てのダウンリンクサブフレームのデータ領域にある。
【０１０４】
さらに、前記リソース位置決定ユニット７０は、
全ダウンリンクサブフレームに対して、１個のＰＤＣＣＨのＣＳＳのリソース位置と１個のＰＤＣＣＨのＵＥＳＳのリソース位置とを決定する。
または、予定時間周期内の各ダウンリンクサブフレームに対して、それぞれＰＤＣＣＨのＣＳＳのリソース位置とＰＤＣＣＨのＵＥＳＳのリソース位置を決定する。
【０１０５】
さらに、前記リソース位置情報送信ユニット７１は、
シグナリングを介して、ＰＤＣＣＨのＣＳＳとＵＥＳＳのリソース位置情報を端末へ送信する。または、
シグナリングを介して、ＰＤＣＣＨのＣＳＳのリソース位置情報を端末へ送信し、別のシグナリングを介して、ＰＤＣＣＨのＵＥＳＳのリソース位置情報を端末へ送信する。
【０１０６】
さらに、前記リソース位置決定ユニットにて、全ダウンリンクサブフレームに対して、１個のＰＤＣＣＨのＣＳＳのリソース位置と１個のＰＤＣＣＨのＵＥＳＳのリソース位置とを決定し、かつ、前記リソース位置情報送信ユニットが、シグナリングを介して、ＰＤＣＣＨのＣＳＳとＵＥＳＳのリソース位置情報を端末へ送信する場合、当該シグナリングにＰＤＣＣＨのＣＳＳとＵＥＳＳのリソース位置を共同指示する２ビットを携帯する。
【０１０７】
または、前記リソース位置決定ユニットにて、全ダウンリンクサブフレームに対して、１個のＰＤＣＣＨのＣＳＳのリソース位置と１個のＰＤＣＣＨのＵＥＳＳのリソース位置を決定し、かつ、前記リソース位置情報送信ユニットがシグナリングを介して、ＰＤＣＣＨのＣＳＳのリソース位置情報を端末へ送信し、別のシグナリングを介して、ＰＤＣＣＨのＵＥＳＳのリソース位置情報を端末へ送信する場合、当該シグナリングには、ＰＤＣＣＨのＣＳＳのリソース位置を単独指示する１ビットが運ばれる。当該別のシグナリングには、ＰＤＣＣＨのＵＥＳＳのリソース位置を単独指示する１ビットが運ばれる。
【０１０８】
または、前記リソース位置決定ユニットにて、予定時間周期内の各ダウンリンクサブフレームに対して、それぞれＰＤＣＣＨのＣＳＳのリソース位置とＰＤＣＣＨのＵＥＳＳのリソース位置を決定し、かつ、前記リソース位置情報送信ユニットがシグナリングを介して、ＰＤＣＣＨのＣＳＳとＵＥＳＳのリソース位置情報を端末へ送信する場合、当該シグナリングは、予定時間周期内の各ダウンリンクサブフレームごとに、各自のダウンリンクサブフレームにおけるＰＤＣＣＨのＣＳＳとＵＥＳＳのリソース位置を共同指示する２ビットを運び。
【０１０９】
または、前記リソース位置決定ユニットにて、予定時間周期内の各ダウンリンクサブフレームに対して、それぞれＰＤＣＣＨのＣＳＳのリソース位置とＰＤＣＣＨのＵＥＳＳのリソース位置を決定し、かつ、前記リソース位置情報送信ユニットが、シグナリングを介して、ＰＤＣＣＨのＣＳＳのリソース位置情報を端末へ送信し、別のシグナリングを介して、ＰＤＣＣＨのＵＥＳＳのリソース位置情報を端末へ送信する場合、当該シグナリングは、予定時間周期内のダウンリンクサブフレームごとに、各自のダウンリンクサブフレームにおけるＰＤＣＣＨのＣＳＳのリソース位置を単独指示する１ビットを運び。当該別のシグナリングは、予定時間周期内の各ダウンリンクサブフレームごとに、ダウンリンクサブフレームにおけるＰＤＣＣＨのＵＥＳＳのリソース位置を単独指示する１ビットを運び。
【０１１０】
さらに、多地点協調送受信ＣＯＭＰメカニズムまたはマルチユーザー多入力多出力ＭＵ−ＭＩＭＯメカニズムを用いる場合、ＰＤＣＣＨのＣＳＳのリソース位置は、ダウンリンクサブフレームの制御領域にあり、ＰＤＣＣＨのＵＥＳＳのリソース位置は、ダウンリンクサブフレームのデータ領域にある。
【０１１１】
または、時分割多重ＴＤＭセル間干渉協調ＩＣＩＣメカニズムを用いる場合、ＰＤＣＣＨのＣＳＳとＵＥＳＳのリソース位置は、全てのダウンリンクサブフレームのデータ領域にある。かつ、前記端末は、被干渉セルに位置する。
【０１１２】
または、ＴＤＭ  ＩＣＩＣメカニズムを用いる場合、被干渉ダウンリンクサブフレームについて、ＰＤＣＣＨのＣＳＳとＵＥＳＳのリソース位置は、全て当該被干渉ダウンリンクサブフレームのデータ領域にある。まだ干渉されていない被干渉ダウンリンクサブフレームについて、ＰＤＣＣＨのＣＳＳのリソース位置は、当該まだ干渉されていない被干渉ダウンリンクサブフレームの制御領域に位置する。ＰＤＣＣＨのＵＥＳＳのリソース位置は、当該まだ干渉されていない被干渉ダウンリンクサブフレームのデータ領域または制御領域にある。かつ、前記端末は、被干渉セルに位置する。
【０１１３】
さらに、前記シグナリングは、ブロードキャストする上位層シグナリングまたは端末専属の上位層シグナリングである。
【０１１４】
図８は本発明に係る実物理ダウンリンク制御チャネルブラインド検出装置を示す図であり、当該装置は、リソース位置情報受信ユニット８０と、チャネルブラインド検出ユニット８１とを備える。
【０１１５】
前記リソース位置情報受信ユニット８０は、基地局が送信した物理ダウンリンク制御チャネルＰＤＣＣＨの共通検索スペースＣＳＳのリソース位置およびＰＤＣＣＨのユーザー専属検索スペースＵＥＳＳのリソース位置情報を受信し、前記ＰＤＣＣＨのＣＳＳとＵＥＳＳのリソース位置は、ダウンリンクサブフレームの制御領域および／またはデータ領域にある。
前記チャネルブラインド検出ユニット８１は、ＣＳＳのリソース位置に基づき、ＰＤＣＣＨのＣＳＳブラインド検出を行い、ＵＥＳＳのリソース位置に基づき、ＰＤＣＣＨのＵＥＳＳブラインド検出を行う。
【０１１６】
さらに、ＰＤＣＣＨのＣＳＳとＵＥＳＳのリソース位置は、全てのダウンリンクサブフレームの制御領域にある。
【０１１７】
または、ＰＤＣＣＨのＣＳＳのリソース位置は、ダウンリンクサブフレームの制御領域にあり、ＰＤＣＣＨのＵＥＳＳのリソース位置は、ダウンリンクサブフレームのデータ領域にある。
【０１１８】
または、ＰＤＣＣＨのＣＳＳのリソース位置は、ダウンリンクサブフレームのデータ領域にあり、ＰＤＣＣＨのＵＥＳＳのリソース位置は、ダウンリンクサブフレームの制御領域にある。
【０１１９】
または、ＰＤＣＣＨのＣＳＳとＵＥＳＳのリソース位置は、全てのダウンリンクサブフレームのデータ領域にある。
【０１２０】
さらに、前記チャネルブラインド検出ユニット８１は、
基地局が送信した全ダウンリンクサブフレームに対して決定した１個のＰＤＣＣＨのＣＳＳのリソース位置と１個のＰＤＣＣＨのＵＥＳＳのリソース位置情報とを受信する場合、全ダウンリンクサブフレームの上記１個のＣＳＳのリソース位置にてＣＳＳブラインド検出を行い、全ダウンリンクサブフレームの上記のＵＥＳＳのリソース位置にてＵＥＳＳブラインド検出を行う。
または、基地局が予定時間周期内の各ダウンリンクサブフレームに対して決定したそれぞれのＰＤＣＣＨのＣＳＳのリソース位置とＰＤＣＣＨのＵＥＳＳのリソース位置情報とを受信する場合、前記予定時間周期内の各ダウンリンクサブフレームおいて、各自のダウンリンクサブフレームに対応するＣＳＳのリソース位置にてＣＳＳブラインド検出を行い、各自のダウンリンクサブフレームに対応するＵＥＳＳのリソース位置にてＵＥＳＳブラインド検出を行う。
【０１２１】
さらに、前記リソース位置情報受信ユニット８０は、
シグナリングを介して、基地局が送信したＰＤＣＣＨのＣＳＳのリソース位置とＰＤＣＣＨのＵＥＳＳのリソース位置情報を受信し、
または、シグナリングを介して、基地局が送信したＰＤＣＣＨのＣＳＳのリソース位置情報を受信し、別のシグナリングを介して、基地局が送信したＰＤＣＣＨのＵＥＳＳのリソース位置情報を受信する。
【０１２２】
さらに、前記リソース位置情報受信ユニットが、シグナリングを介して、基地局が送信した全ダウンリンクサブフレームに対して決定した１個のＰＤＣＣＨのＣＳＳのリソース位置と１個のＰＤＣＣＨのＵＥＳＳのリソース位置情報とを受信する場合、当該シグナリングには、ＰＤＣＣＨのＣＳＳとＵＥＳＳのリソース位置を共同指示する２ビットが運ばれる。
【０１２３】
または、前記リソース位置情報受信ユニットが、シグナリングを介して、基地局が送信した全ダウンリンクサブフレームに対して決定した１個のＰＤＣＣＨのＣＳＳのリソース位置情報を受信し、別のシグナリングを介して、基地局が送信した全ダウンリンクサブフレームに対して決定した１個のＰＤＣＣＨのＵＥＳＳのリソース位置を受信する情報を受信する場合、当該シグナリングには、ＰＤＣＣＨのＣＳＳのリソース位置を単独指示する１ビットが運ばれる。当該別のシグナリングには、ＰＤＣＣＨのＵＥＳＳのリソース位置を単独指示する１ビットが運ばれる。
【０１２４】
または、前記リソース位置情報受信ユニットが、シグナリングを介して、基地局が予定時間周期内の各ダウンリンクサブフレームに対して決定したそれぞれのＰＤＣＣＨのＣＳＳのリソース位置とＰＤＣＣＨのＵＥＳＳのリソース位置情報を受信する場合、当該シグナリングには、予定時間周期内のダウンリンクサブフレームごとに、各自のダウンリンクサブフレームにおけるＰＤＣＣＨのＣＳＳとＵＥＳＳのリソース位置を共同指示する２ビットが運ばれる。
【０１２５】
または、前記リソース位置情報受信ユニットが、シグナリングを介して、基地局が予定時間周期内の各ダウンリンクサブフレームに対して決定したそれぞれのＰＤＣＣＨのＣＳＳのリソース位置情報を受信し、別のシグナリングを介して、基地局が予定時間周期内の各ダウンリンクサブフレームに対して決定したそれぞれのＰＤＣＣＨのＵＥＳＳのリソース位置情報を受信する場合、当該シグナリングには、予定時間周期内のダウンリンクサブフレームごとに、各自のダウンリンクサブフレームにおけるＰＤＣＣＨのＣＳＳのリソース位置を単独指示する１ビットが運ばれる。当該別のシグナリングには、予定時間周期内のダウンリンクサブフレームごとに、ダウンリンクサブフレームにおけるＰＤＣＣＨのＵＥＳＳのリソース位置を単独指示する１ビットを運び。
【０１２６】
さらに、多地点協調送受信ＣＯＭＰメカニズムまたはマルチユーザー多入力多出力ＭＵ−ＭＩＭＯメカニズムを用いる場合、ＰＤＣＣＨのＣＳＳはダウンリンクサブフレームの制御領域に位置し、ＰＤＣＣＨのＵＥＳＳはダウンリンクサブフレームのデータ領域に位置する。
【０１２７】
または、時分割多重ＴＤＭセル間干渉協調ＩＣＩＣメカニズムを用いる場合、ＰＤＣＣＨのＣＳＳとＵＥＳＳ全てのダウンリンクサブフレームのデータ領域に位置し、かつ、前記端末は、被干渉セルに位置する。
【０１２８】
または、ＴＤＭ  ＩＣＩＣメカニズムを用いる場合、被干渉ダウンリンクサブフレームについて、ＰＤＣＣＨのＣＳＳとＵＥＳＳは全て当該被干渉ダウンリンクサブフレームのデータ領域に位置する。まだ干渉されていない被干渉ダウンリンクサブフレームについて、ＰＤＣＣＨのＣＳＳは当該まだ干渉されていない被干渉ダウンリンクサブフレームの制御領域に位置し、ＰＤＣＣＨのＵＥＳＳは当該まだ干渉されていない被干渉ダウンリンクサブフレームのデータ領域または制御領域位置に位置し、かつ、前記端末は、被干渉セルに位置する。
【０１２９】
さらに，前記シグナリングは、ブロードキャストする上位層シグナリングまたは端末専属の上位層シグナリングである。
【０１３０】
総じて、本発明の有益な効果は下記とおりである。
本発明に係る実施形態によれば、基地局は、ＰＤＣＣＨのＣＳＳとＵＥＳＳがダウンリンクサブフレームの制御領域またはデータ領域に位置するという情報を端末へ送信し、端末にＰＤＣＣＨのＣＳＳとＵＥＳＳのリソース位置を獲得させる。
本発明に係る実施形態によれば、端末は、基地局が送信したＰＤＣＣＨのＣＳＳとＵＥＳＳ位置するダウンリンクサブフレームの制御領域またはデータ領域の情報を受信し、受信した情報に基づき、相応するリソース位置においてＰＤＣＣＨのＣＳＳブラインド検出とＵＥＳＳブラインド検出を行う。
これにより、端末がＰＤＣＣＨのＣＳＳとＵＥＳＳのリソース位置を獲得できないためにＰＤＣＣＨを正確に受信できないという問題を解決できる。
【０１３１】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１３２】
これらのコンピュータプログラム指令は又、コンピュータ或いは他のプログラム可能なデータ処理装置を特定態様で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１３３】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１３４】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１３５】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。